(57)【要約】【課題】  複数の光源を調光することができ、しかも、小型化及び低廉化を図り得る調光装置を提供すること。【解決手段】  調光装置１は、複数の交流電力供給源４ａ、４ｂ及び４ｃと、交流電力供給源４ａ、４ｂ及び４ｃの夫々が小光源２ａ、２ｂ及び２ｃの夫々に独立して接続される図３に示すような小光源接続状態と交流電力供給源４ａ、４ｂ及び４ｃの夫々が小光源２ａ、２ｂ及び２ｃの夫々よりも消費電力の大きい一つの大光源３に並列に接続される図７に示すような大光源接続状態とを選択的に切り替える切り替え手段５と、交流電力供給源４ａ、４ｂ及び４ｃから小光源２ａ、２ｂ及び２ｃ並びに大光源３の夫々への交流電力の供給期間ｔ１、ｔ２及びｔ３を制御する制御手段６とを具備している。【選択図】図１
2006202576.tif 000002
【特許請求の範囲】
【請求項１】
複数の交流電力供給源と、複数の交流電力供給源の夫々が複数の小光源の夫々に独立して接続される小光源接続状態と複数の交流電力供給源の夫々が複数の小光源よりも消費電力の大きい大光源に並列に接続される大光源接続状態とを選択的に切り替える切り替え手段と、複数の交流電力供給源から複数の小光源及び大光源の夫々への交流電力の供給期間を制御する制御手段とを具備しており、制御手段は、複数の交流電力供給源が複数の小光源に夫々独立して供給する交流電力の各供給期間の長さを夫々調節するための調節指令を小光源接続状態の複数の交流電力供給源の夫々に対して与える一方、大光源への交流電力の供給を大光源接続状態の複数の交流電力供給源に経時的に分担させるべく当該複数の交流電力供給源の夫々が大光源への交流電力の供給を交替的に担当する担当期間を当該複数の交流電力供給源の夫々に対して設定すると共に、大光源の交流電力の供給を担当する交流電力供給源がその担当期間内において大光源に供給する交流電力の供給期間の長さを調節するための調節指令を当該交流電力供給源に対して与える指令部を具備している調光装置。
【請求項２】
指令部は、夫々互いに等しい時間的な長さを有した担当期間を複数の交流電力供給源の夫々に対して設定するようになっている請求項１に記載の調光装置。
【請求項３】
指令部は、大光源に供給すべき交流電力の周期と夫々等しい時間的な長さを有した担当期間を複数の交流電力供給源の夫々に対して設定するようになっている請求項１又は２に記載の調光装置。
【請求項４】
指令部は、一の担当期間を複数の交流電力供給源のうちの一の交流電力供給源に対して設定すると共に、一の担当期間の終了と同期して進行を開始する他の担当期間を複数の交流電力供給源のうちの他の交流電力供給源に対して設定するようになっている請求項１から３のいずれか一項に記載の調光装置。
【請求項５】
複数の交流電力供給源は、第一から第三の交流電力供給源からなり、指令部は、第一の担当期間を第一の交流電力供給源に対して設定し、第一の担当期間の終了と同期して進行を開始する第二の担当期間を第二の交流電力供給源に対して設定し、且つ、第二の担当期間の終了と同期して進行を開始する第三の担当期間を第三の交流電力供給源に対して設定するようになっている請求項１から３のいずれか一項に記載の調光装置。
【発明の詳細な説明】
【技術分野】
【０００１】
本発明は、舞台、スタジオ、ホール等に設置される光源（照明器具）の調光を行う調光装置に関する。
【背景技術】
【０００２】
【特許文献１】特開２０００−３１１７９１号公報
【０００３】
例えば特許文献１においては、複数の光源の夫々の調光を交流電力を調節して夫々行う複数の調光器（ＤＩＭＭＥＲ）を具備した調光装置が提案されている。斯かる調光装置では、一つの調光器に対して一つの光源が接続される。
【発明の開示】
【発明が解決しようとする課題】
【０００４】
ところで、斯かる調光装置では、一つの調光器に対して一つの光源が接続されるために、複数の調光器の数以上の光源を夫々調光することが困難であり、複数の光源に複数の調光器の夫々の定格電力（定格負荷）よりも大きな消費電力の大光源が含まれている場合には複数の光源を夫々調光することが更に困難となる。また、斯かる調光装置では、光源の消費電力に対応した定格電力の調光器を増設させると調光装置自体の小型化及び低廉化が困難となる。
【０００５】
本発明は、前記諸点に鑑みてなされたものであり、その目的とするところは、複数の光源を調光することができ、しかも、小型化及び低廉化を図り得る調光装置を提供することにある。
【課題を解決するための手段】
【０００６】
本発明の調光装置は、複数の交流電力供給源と、複数の交流電力供給源の夫々が複数の小光源の夫々に独立して接続される小光源接続状態と複数の交流電力供給源の夫々が複数の小光源よりも消費電力の大きい大光源に並列に接続される大光源接続状態とを選択的に切り替える切り替え手段と、複数の交流電力供給源から複数の小光源及び大光源の夫々への交流電力の供給期間を制御する制御手段とを具備しており、制御手段は、複数の交流電力供給源が複数の小光源に夫々独立して供給する交流電力の各供給期間の長さを夫々調節するための調節指令を小光源接続状態の複数の交流電力供給源の夫々に対して与える一方、大光源への交流電力の供給を大光源接続状態の複数の交流電力供給源に経時的に分担させるべく当該複数の交流電力供給源の夫々が大光源への交流電力の供給を交替的に担当する担当期間を当該複数の交流電力供給源の夫々に対して設定すると共に、大光源の交流電力の供給を担当する交流電力供給源がその担当期間内において大光源に供給する交流電力の供給期間の長さを調節するための調節指令を当該交流電力供給源に対して与える指令部を具備している。
【０００７】
本発明の調光装置によれば、特に、小光源接続状態と大光源接続状態とを選択的に切り替える切り替え手段と、複数の小光源及び大光源の夫々への交流電力の供給期間を制御する制御手段とを具備しており、制御手段は、複数の交流電力供給源が複数の小光源に夫々独立して供給する交流電力の各供給期間の長さを夫々調節するための調節指令を小光源接続状態の複数の交流電力供給源の夫々に対して与える一方、大光源への交流電力の供給を大光源接続状態の複数の交流電力供給源に経時的に分担させるべく当該複数の交流電力供給源の夫々が大光源への交流電力の供給を交替的に担当する担当期間を当該複数の交流電力供給源の夫々に対して設定すると共に、大光源の交流電力の供給を担当する交流電力供給源がその担当期間内において大光源に供給する交流電力の供給期間の長さを調節するための調節指令を当該交流電力供給源に対して与える指令部を具備しているために、複数の交流電力供給源の数以上の光源（小光源、大光源を含む）を夫々調光することができ、しかも、小さい定格電力（定格負荷）の複数の交流電力供給源を大きい定格電力（定格消費電力）の大光源の調光に用いることができて、調光装置自体の小型化及び低廉化を図り得る。また、本発明の調光装置によれば、大光源への交流電力の供給を複数の交流電力供給源に経時的に分担させることができて、複数の交流電力供給源の夫々から大光源への交流電力の供給期間の重複をなくすことができ、而して、複数の交流電力供給源の相互の電圧誤差に基づく複数の交流電力供給源の発熱等を低減させることができる。
【０００８】
本発明の調光装置の好ましい例では、指令部は、夫々互いに等しい時間的な長さを有した担当期間を複数の交流電力供給源の夫々に対して設定するようになっていてもよく、また、指令部は、大光源に供給すべき交流電力の周期と夫々等しい時間的な長さを有した担当期間を複数の交流電力供給源の夫々に対して設定するようになっていてもよい。このような好ましい例によれば、複数の交流電力供給源の夫々から大光源へ供給する交流電力の調節が容易となる。
【０００９】
本発明の調光装置の好ましい例では、指令部は、一の担当期間を複数の交流電力供給源のうちの一の交流電力供給源に対して設定すると共に、一の担当期間の終了と同期して進行を開始する他の担当期間を複数の交流電力供給源のうちの他の交流電力供給源に対して設定するようになっていてもよく、また、複数の交流電力供給源は、第一から第三の交流電力供給源からなり、指令部は、第一の担当期間を第一の交流電力供給源に対して設定し、第一の担当期間の終了と同期して進行を開始する第二の担当期間を第二の交流電力供給源に対して設定し、且つ、第二の担当期間の終了と同期して進行を開始する第三の担当期間を第三の交流電力供給源に対して設定するようになっていてもよい。
【００１０】
尚、本発明の調光装置では、複数の交流電力供給源は、二つの交流電力供給源からなっていてもよく、また、二つ以上の交流電力供給源からなっていてもよく、例えば、三つ又は四つの交流電力供給源からなっていてもよい。
【発明の効果】
【００１１】
本発明によれば、複数の光源を調光することができ、しかも、小型化及び低廉化を図り得る調光装置を提供し得る。
【発明を実施するための最良の形態】
【００１２】
次に、本発明の実施の形態の例を、図に示す例に基づいて更に詳細に説明する。尚、本発明はこれら例に何等限定されないのである。
【実施例】
【００１３】
図１から図９において、本例の調光装置１は、複数の交流電力供給源４ａ、４ｂ及び４ｃと、交流電力供給源４ａ、４ｂ及び４ｃの夫々が小光源２ａ、２ｂ及び２ｃの夫々に独立して接続される図３に示すような小光源接続状態と交流電力供給源４ａ、４ｂ及び４ｃの夫々が小光源２ａ、２ｂ及び２ｃの夫々よりも消費電力の大きい一つの大光源３に並列に接続される図７に示すような大光源接続状態とを選択的に切り替える切り替え手段５と、交流電力供給源４ａ、４ｂ及び４ｃから小光源２ａ、２ｂ及び２ｃ並びに大光源３の夫々への交流電力の供給期間ｔ１、ｔ２及びｔ３を制御する制御手段６とを具備している。
【００１４】
交流電力供給源４ａ、４ｂ及び４ｃには、当該交流電力供給源４ａ、４ｂ及び４ｃの夫々に交流電力を入力する交流電源１１が給電線２３を介して接続されている。交流電源１１は、本例では、５０Ｈｚ又は６０Ｈｚの商用電源からなる。小光源２ａ、２ｂ及び２ｃ並びに大光源３は、例えばハロゲンランプからなる。小光源２ａ、２ｂ及び２ｃの夫々の定格消費電力は、本例では１ｋＷである。大光源３の定格消費電力は、本例では３ｋＷである。斯かる小光源２ａ、２ｂ及び２ｃ並びに大光源３には、交流電源１１からの交流電力が交流電力供給源４ａ、４ｂ及び４ｃ並びに切り替え手段５を介して夫々供給される。尚、小光源２ａ、２ｂ及び２ｃは、大光源３の消費電力よりも相対的に小さい消費電力のものを意味する。
【００１５】
交流電力供給源４ａ、４ｂ及び４ｃは、交流電源１１及び切り替え手段５に給電線２３を介して接続されていると共に制御手段６に信号線２４を介して接続されている３極双方向サイリスタ等からなるスイッチ素子２２を夫々具備している。交流電力供給源４ａ、４ｂ及び４ｃは、スイッチ素子２２の夫々が制御手段６からの調節指令としてのトリガ信号（ＣＨ１トリガ信号６１、ＣＨ２トリガ信号６２及びＣＨ３トリガ信号６３を含む）によりオフ状態からオン状態にされ且つオン状態からオフ状態にされることで、交流電源１１からの交流電力を小光源２ａ、２ｂ及び２ｃ並びに大光源３の夫々に供給するようになっている。
【００１６】
交流電力供給源４ａ、４ｂ及び４ｃの夫々には、制御手段６との関係においてチャンネル（ＣＨ）が割り当てられており、本例では、交流電力供給源４ａにはＣＨ１が割り当てられ、交流電力供給源４ｂにはＣＨ２が割り当てられ、交流電力供給源４ｃにはＣＨ３が割り当てられる。交流電力供給源４ａ、４ｂ及び４ｃの夫々の定格電力（定格負荷）は、本例では１ｋＷである。
【００１７】
切り替え手段５は、交流電力供給源４ａ、４ｂ及び４ｃと小光源２ａ、２ｂ及び２ｃ並びに大光源３との間に介在されている複数の切り替え器２１ａ、２１ｂ及び２１ｃとを具備している。切り替え器２１ａ、２１ｂ及び２１ｃは、例えばサイリスタ等によって具体化される。尚、切り替え器２１ａ、２１ｂ及び２１ｃは、本例では、後述の切り替え指令部３５からの切り替え信号に基づいて夫々互いに同時的に作動されるが、例えば、切り替え器２１ａ、２１ｂ及び２１ｃを作動させるべく手動操作によりパルス信号からなる切り替え信号を生起する手動切り替え操作部（図示せず）に接続されていてもよい。尚、切り替え手段５は、切り替え器２１ａ、２１ｂ及び２１ｃに代えて、切り替え操作レバー等の手動操作により交流電力供給源４ａ、４ｂ及び４ｃの接続を大光源接続状態から小光源接続状態に機械的に切り替える一方、小光源接続状態から大光源接続状態に機械的に切り替える複数の切り替え器を具備していてもよい。
【００１８】
切り替え器２１ａは、交流電力供給源４ａのスイッチ素子２２並びに小光源２ａ及び大光源３に給電線２３を介して接続されていると共に切り替え指令部３５に信号線２４を介して接続されており、切り替え指令部３５からの切り替え信号により作動して、交流電力供給源４ａの大光源３への接続を小光源２ａへの接続に切り替える一方、交流電力供給源４ａの小光源２ａへの接続を大光源３への接続に切り替えるようになっている。切り替え器２１ｂは、交流電力供給源４ｂのスイッチ素子２２並びに小光源２ｂ及び大光源３に給電線２３を介して接続されていると共に切り替え指令部３５に信号線２４を介して接続されており、切り替え指令部３５からの切り替え信号により作動して、交流電力供給源４ｂの大光源３への接続を小光源２ｂへの接続に切り替える一方、交流電力供給源４ｂの小光源２ｂへの接続を大光源３への接続に切り替えるようになっている。切り替え器２１ｃは、交流電力供給源４ｃのスイッチ素子２２並びに小光源２ｃ及び大光源３に給電線２３を介して接続されていると共に切り替え指令部３５に信号線２４を介して接続されており、切り替え指令部３５からの切り替え信号により作動して、交流電力供給源４ｃの大光源３への接続を小光源２ｃへの接続に切り替える一方、交流電力供給源４ｃの小光源２ｃへの接続を大光源３への接続に切り替えるようになっている。
【００１９】
制御手段６は、特に図２に示すように、調光操作卓２９等の操作に基づいて生成された調光信号としてのいわゆるＤＭＸ（Ｄｉｇｉｔａｌ  Ｍｕｌｔｉｐｌｅｘ）信号（ＤＭＸ２５６信号、ＤＭＸ５１２信号を含む）を受信する受信部３１と、受信部３１で受信したＤＭＸ信号に基づいて、交流電力供給源４ａ、４ｂ及び４ｃが小光源２ａ、２ｂ及び２ｃに夫々独立して供給する交流電力の供給期間ｔ１、ｔ２及びｔ３の長さを夫々調節するための調節指令としてのトリガ信号を小光源接続状態の交流電力供給源４ａ、４ｂ及び４ｃの夫々に対して与える一方、大光源３への交流電力の供給を大光源接続状態の交流電力供給源４ａ、４ｂ及び４ｃに経時的に分担させるべく当該交流電力供給源４ａ、４ｂ及び４ｃの夫々が大光源３への交流電力の供給を交替的に担当する担当期間Ｔ１、Ｔ２及びＴ３を当該交流電力供給源４ａ、４ｂ及び４ｃの夫々に対して設定すると共に、大光源３の交流電力の供給を担当する交流電力供給源４ａ、４ｂ及び４ｃが夫々の担当期間Ｔ１、Ｔ２及びＴ３内において大光源３に供給する交流電力の供給期間ｔ１、ｔ２及びｔ３の長さを調節するための調節指令としてのトリガ信号を当該交流電力供給源４ａ、４ｂ及び４ｃに対して与える指令部３３と、交流電力供給源４ａ、４ｂ及び４ｃの小光源接続状態と大光源接続状態との切り替え信号を生起して切り替え器２１ａ、２１ｂ及び２１ｃに送信することで切り替え手段５に対して切り替え指令を与える切り替え指令部３５とを具備している。
【００２０】
指令部３３は、交流電力供給源４ａのスイッチ素子２２を作動（オンオフ作動）させるＣＨ１トリガ信号６１、交流電力供給源４ｂのスイッチ素子２２を作動させるＣＨ２トリガ信号６２及び交流電力供給源４ｃのスイッチ素子２２を作動させるＣＨ３トリガ信号６３を夫々生起するトリガ信号生起部４１と、交流電力供給源４ａ、４ｂ及び４ｃに入力される交流電源１１からの交流電力に基づく図４、図６、図８及び図９に示すような交流電圧波形３０の各周期Ｔの開始及び終了毎にパルス信号からなる同期信号６４を生起する同期信号生起部４２と、受信部３１で受信したＤＭＸ信号及び同期信号生起部４２で生起した同期信号６４に基づいてトリガ信号生起部４１がＣＨ１トリガ信号６１、ＣＨ２トリガ信号６２及びＣＨ３トリガ信号６３を生起する夫々のタイミングを調整する調整部４３とを具備している。
【００２１】
トリガ信号生起部４１は、交流電力供給源４ａ、４ｂ及び４ｃの夫々のスイッチ素子２２に夫々別々の信号線２４を介して接続されており、調整部４３のタイミング調整に従ってＣＨ１トリガ信号６１、ＣＨ２トリガ信号６２及びＣＨ３トリガ信号６３を夫々生起するようになっている。
【００２２】
トリガ信号生起部４１は、図４、図５及び図８に示すように、周期Ｔ内における一回目のＣＨ１トリガ信号６１ａにより交流電力供給源４ａのスイッチ素子２２をオフ状態からオン状態にし、当該周期Ｔ内における二回目のＣＨ１トリガ信号６１ｂにより交流電力供給源４ａのスイッチ素子２２をオン状態からオフ状態にする。トリガ信号生起部４１は、図４及び図８に示すように、周期Ｔ内における一回目のＣＨ２トリガ信号６２ａにより交流電力供給源４ｂのスイッチ素子２２をオフ状態からオン状態にし、当該周期Ｔ内における二回目のＣＨ２トリガ信号６２ｂにより交流電力供給源４ｂのスイッチ素子２２をオン状態からオフ状態にする。トリガ信号生起部４１は、図４及び図８に示すように、周期Ｔ内における一回目のＣＨ３トリガ信号６３ａにより交流電力供給源４ｃのスイッチ素子２２をオフ状態からオン状態にし、当該周期Ｔ内における二回目のＣＨ３トリガ信号６３ｂにより交流電力供給源４ｃのスイッチ素子２２をオン状態からオフ状態にする。
【００２３】
同期信号生起部４２は、交流電源１１からの交流電力の周期Ｔを検出する検出部（図示せず）を具備しており、斯かる検出部での検出結果に基づいて同期信号６４を生起するようになっている。尚、同期信号生起部４２で生起した同期信号６４は調整部４３に送信される。
【００２４】
調整部４３は、予め設定されたプログラムを読み出し自在に記憶している記憶部５１と、記憶部５１からプログラムを読み出し、読み出したプログラムに基づいて演算処理する演算処理部５２と、担当期間Ｔ１、Ｔ２及びＴ３や供給期間ｔ１、ｔ２及びｔ３の進行をカウントする計数部５３とを具備している。演算処理部５２は、受信部３１で受信したＤＭＸ信号、同期信号生起部４２で生起した同期信号６４、記憶部５１から読み出したプログラム及び計数部５３のカウントに関する情報に基づいて、上述及び後述のような判断、設定、識別及び命令等を行うようになっている。
【００２５】
調整部４３は、受信部３１で受信したＤＭＸ信号に、小光源２ａ、２ｂ及び２ｃのうちの少なくともいずれか一つを調光する旨の小光源調光情報と大光源３を調光する旨の大光源調光情報とのいずれが含まれているかを判断し、受信部３１で受信したＤＭＸ信号に小光源調光情報が含まれていると判断した場合には、調光すべき小光源２ａ、２ｂ及び２ｃのうちの少なくともいずれか一つの光量を示す光量情報を受信部３１で受信したＤＭＸ信号から識別し、識別した光量情報に示される光量を得るために必要な周期Ｔ毎の供給期間ｔ１、ｔ２及びｔ３のうちの少なくともいずれか一つを設定し、設定した供給期間ｔ１、ｔ２及びｔ３のうちの少なくともいずれか一つの進行の開始と同期してトリガ信号生起部４１に周期Ｔ内における一回目のトリガ信号生起命令を与え、設定した供給期間ｔ１、ｔ２及びｔ３のうちの少なくともいずれか一つの終了と同期してトリガ信号生起部４１に当該周期Ｔ内における二回目のトリガ信号生起命令を与えるようになっている。
【００２６】
調整部４３は、受信部３１で受信したＤＭＸ信号に小光源２ａを調光する旨の情報が含まれていると判断した場合には、小光源２ａの調光すべき光量を示す光量情報を受信部３１で受信したＤＭＸ信号から識別し、識別した光量情報に示される光量を得るために必要な周期Ｔ毎の供給期間ｔ１を設定し、設定した供給期間ｔ１の進行の開始と同期してトリガ信号生起部４１に周期Ｔ内におけるＣＨ１トリガ信号６１の一回目のトリガ信号生起命令を与え、設定した供給期間ｔ１の終了と同期してトリガ信号生起部４１に当該周期Ｔ内におけるＣＨ１トリガ信号６１の二回目のトリガ信号生起命令を与えるようになっている。調整部４３は、受信部３１で受信したＤＭＸ信号に小光源２ｂを調光する旨の情報が含まれていると判断した場合には、小光源２ｂの調光すべき光量を示す光量情報を受信部３１で受信したＤＭＸ信号から識別し、識別した光量情報に示される光量を得るために必要な周期Ｔ毎の供給期間ｔ２を設定し、設定した供給期間ｔ２の進行の開始と同期してトリガ信号生起部４１に周期Ｔ内におけるＣＨ２トリガ信号６２の一回目のトリガ信号生起命令を与え、設定した供給期間ｔ２の終了と同期してトリガ信号生起部４１に当該周期Ｔ内におけるＣＨ２トリガ信号６２の二回目のトリガ信号生起命令を与えるようになっている。調整部４３は、受信部３１で受信したＤＭＸ信号に小光源２ｃを調光する旨の情報が含まれていると判断した場合には、小光源２ｃの調光すべき光量を示す光量情報を受信部３１で受信したＤＭＸ信号から識別し、識別した光量情報に示される光量を得るために必要な周期Ｔ毎の供給期間ｔ３を設定し、設定した供給期間ｔ３の進行の開始と同期してトリガ信号生起部４１に周期Ｔ内におけるＣＨ３トリガ信号６３の一回目のトリガ信号生起命令を与え、設定した供給期間ｔ３の終了と同期してトリガ信号生起部４１に当該周期Ｔ内におけるＣＨ３トリガ信号６３の二回目のトリガ信号生起命令を与えるようになっている。
【００２７】
調整部４３は、受信部３１で受信したＤＭＸ信号に小光源調光情報が含まれていると判断した場合には、ＣＨ１トリガ信号６１、ＣＨ２トリガ信号６２及びＣＨ３トリガ信号６３の各トリガ信号生起命令をトリガ信号生起部４１に対して夫々独立して与えるようになっており、斯かる場合には、前記各トリガ信号生起命令が夫々互いに経時的に重複してもよく、このような各トリガ信号生起命令が与えられるトリガ信号生起部４１は、夫々互いに経時的に重複したＣＨ１トリガ信号６１、ＣＨ２トリガ信号６２及びＣＨ３トリガ信号６３を生起してもよい。
【００２８】
調整部４３は、受信部３１で受信したＤＭＸ信号に大光源調光情報が含まれていると判断した場合には、大光源３の調光すべき光量を示す光量情報を受信部３１で受信したＤＭＸ信号から識別し、交流電源１１の交流電力の大光源３への供給を交流電力供給源４ａに担当させる担当期間Ｔ１、担当期間Ｔ１の終了と同期して進行を開始すると共に交流電源１１の交流電力の大光源３への供給を交流電力供給源４ｂに担当させる担当期間Ｔ２及び担当期間Ｔ２の終了と同期して進行を開始すると共に交流電源１１の交流電力の大光源３への供給を交流電力供給源４ｃに担当させる担当期間Ｔ３を交替的に設定し、ＤＭＸ信号から識別した光量情報に示される光量を得るために必要な担当期間Ｔ１内における供給期間ｔ１、担当期間Ｔ２内における供給期間ｔ２及び担当期間Ｔ３内における供給期間ｔ３を設定し、設定した供給期間ｔ１の進行の開始と同期してトリガ信号生起部４１に担当期間Ｔ１内におけるＣＨ１トリガ信号６１の一回目のトリガ信号生起命令を与え、設定した供給期間ｔ１の終了と同期してトリガ信号生起部４１に担当期間Ｔ１内におけるＣＨ１トリガ信号６１の二回目のトリガ信号生起命令を与え、設定した供給期間ｔ２の進行の開始と同期してトリガ信号生起部４１に担当期間Ｔ２内におけるＣＨ２トリガ信号６２の一回目のトリガ信号生起命令を与え、設定した供給期間ｔ２の終了と同期してトリガ信号生起部４１に担当期間Ｔ２内におけるＣＨ２トリガ信号６２の二回目のトリガ信号生起命令を与え、設定した供給期間ｔ３の進行の開始と同期してトリガ信号生起部４１に担当期間Ｔ３内におけるＣＨ３トリガ信号６３の一回目のトリガ信号生起命令を与え、設定した供給期間ｔ３の終了と同期してトリガ信号生起部４１に担当期間Ｔ３内におけるＣＨ３トリガ信号６３の二回目のトリガ信号生起命令を与えるようになっている。
【００２９】
調整部４３で設定される担当期間Ｔ１、Ｔ２及びＴ３は、夫々互いに等しい時間的な長さを有しており、また、大光源３に供給すべき交流電源１１からの交流電力の周期Ｔと等しい時間的な長さを夫々有している。
【００３０】
調整部４３は、同期信号生起部４２で生起される同期信号６４と同期して担当期間Ｔ１、Ｔ２及びＴ３の夫々の進行を開始及び終了させるようになっている。調整部４３は、担当期間Ｔ３の終了と同期して担当期間Ｔ１の進行を開始させ、担当期間Ｔ１の終了と同期して担当期間Ｔ２の進行を開始させ、担当期間Ｔ２の終了と同期して担当期間Ｔ３の進行を開始させる。
【００３１】
調整部４３は、同期信号生起部４２で生起される同期信号６４と同期して供給期間ｔ１、ｔ２及びｔ３の進行を開始させるようになっていてもよく、また、同期信号生起部４２で生起される同期信号６４から予め設定した設定時間の経過時に供給期間ｔ１、ｔ２及びｔ３の進行を開始させるようになっていてもよい。尚、調整部４３は、供給期間ｔ１、ｔ２及びｔ３の進行を計数部５３でカウントすることにより、トリガ信号生起部４１で生起されるＣＨ１トリガ信号６１、ＣＨ２トリガ信号６２及びＣＨ３トリガ信号６３の夫々の生起のタイミングを調整している。尚、供給期間ｔ１、ｔ２及びｔ３の夫々の最大長さは、担当期間Ｔ１、Ｔ２及びＴ３の夫々の長さと等しく、また、周期Ｔの長さとも等しい。
【００３２】
斯かる指令部３３は、上述及び後述のように作動して交流電力供給源４ａ、４ｂ及び４ｃの夫々を位相制御するようになっている。調光装置１により交流電力供給源４ａ、４ｂ及び４ｃから交流電源１１の交流電力を小光源２ａ、２ｂ及び２ｃに夫々供給している場合において交流電力供給源４ａ、４ｂ及び４ｃからの出力交流電圧は、図４及び図５に示すような出力電圧波形５０ａ、５０ｂ及び５０ｃとなる。調光装置１により交流電力供給源４ａ、４ｂ及び４ｃから交流電源１１の交流電力を大光源３に交替的に供給している場合において交流電力供給源４ａ、４ｂ及び４ｃからの出力交流電圧は、図８に示すような出力電圧波形５０ａ、５０ｂ及び５０ｃとなる。また、調光装置１により大光源３に供給される供給交流電力は、交流電力供給源４ａ、４ｂ及び４ｃから交替的に供給される交流電力が合成されてなり、斯かる供給交流電力は、図８に示すような供給電圧波形５５となる。尚、図４、図６、図８及び図９に示される「ＡＣ  ＩＮＰＵＴ」は、交流電力供給源４ａ、４ｂ及び４ｃに入力される交流電源１１からの交流電力を意味し、また、図８及び図９に示される「ＡＣ  ＯＵＴＰＵＴ」は、交流電力供給源４ａ、４ｂ及び４ｃの夫々から大光源３へ供給される交流電力が合成された前記供給交流電力を意味する。
【００３３】
切り替え指令部３５は、調整部４３によるＤＭＸ信号の判断結果に基づいて作動するようになっている。切り替え指令部３５は、切り替え信号を生起して切り替え器２１ａ、２１ｂ及び２１ｃの夫々に対して同時的に送信することにより、切り替え手段５に対する切り替え指令を行うようになっている。切り替え指令部３５は、例えば調整部４３がＤＭＸ信号に小光源調光情報が含まれていると判断した場合には、交流電力供給源４ａ、４ｂ及び４ｃが小光源接続状態にあるか否かを判断し、小光源接続状態にあると判断した際には切り替え信号を生起しないで作動を終了し、小光源接続状態にないと判断した際には切り替え信号を生起して切り替え器２１ａ、２１ｂ及び２１ｃの夫々に対して同時的に送信する。また、切り替え指令部３５は、例えば調整部４３がＤＭＸ信号に大光源調光情報が含まれていると判断した場合には、交流電力供給源４ａ、４ｂ及び４ｃが大光源接続状態にあるか否かを判断し、大光源接続状態にあると判断した際には切り替え信号を生起しないで作動を終了し、大光源接続状態にないと判断した際には切り替え信号を生起して切り替え器２１ａ、２１ｂ及び２１ｃの夫々に対して同時的に送信する。
【００３４】
以下、本例の調光装置１による小光源２ａの調光について詳細に説明する。まず、調光操作卓２９等の操作に基づいて生成されたＤＭＸ信号を受信部３１で受信する。ここで、調光操作卓２９等の操作に基づいて生成されたＤＭＸ信号には、説明の便宜上、小光源調光情報としての小光源２ａを調光する旨の情報が含まれているものとする。
【００３５】
次に、調整部４３により受信部３１で受信したＤＭＸ信号に小光源２ａを調光する旨の情報が含まれていると判断し、小光源２ａの調光すべき光量を示す光量情報を受信部３１で受信したＤＭＸ信号から識別し、識別した光量情報に示される光量を得るために必要な周期Ｔ毎の供給期間ｔ１を周期Ｔの長さとの関係において設定し、これにより周期Ｔと供給期間ｔ１との比（デューティ比）も定まる。調整部４３は、同期信号生起部４２からの同期信号６４に基づいて交流電源１１からの交流電力の周期Ｔとの関係における供給期間ｔ１の進行の開始時期及び終了時期を監視している。
【００３６】
切り替え指令部３５は、調整部４３による上記判断結果に基づいて作動し、交流電力供給源４ａ、４ｂ及び４ｃが切り替え器２１ａ、２１ｂ及び２１ｃを夫々介して小光源接続状態にあるか否かを判断し、小光源接続状態にあると判断した場合には切り替え信号を生起しないで作動を終了し、小光源接続状態にないと判断した場合には切り替え信号を生起して切り替え器２１ａ、２１ｂ及び２１ｃの夫々に対して同時的に送信する。切り替え器２１ａ、２１ｂ及び２１ｃは、切り替え指令部３５からの切り替え信号を受けて交流電力供給源４ａ、４ｂ及び４ｃを小光源２ａ、２ｂ及び２ｃに夫々互いに同時的に接続する。
【００３７】
切り替え手段５による交流電力供給源４ａ、４ｂ及び４ｃの小光源２ａ、２ｂ及び２ｃへの接続後、調整部４３は、トリガ信号生起部４１に周期Ｔの開始と同期してＣＨ１トリガ信号６１の一回目のトリガ信号生起命令を与えると共に供給期間ｔ１の進行を開始する。当該一回目のトリガ信号生起命令を与えられたトリガ信号生起部４１は、周期Ｔ内における一回目のＣＨ１トリガ信号６１ａを生起して交流電力供給源４ａのスイッチ素子２２に信号線２４を介して送信する。一回目のＣＨ１トリガ信号６１ａを受けた交流電力供給源４ａのスイッチ素子２２は、オフ状態からオン状態にされ、これにより交流電力供給源４ａによる交流電源１１の交流電力の小光源２ａへの供給は開始される。開始された小光源２ａへの交流電力の供給は、調整部４３により供給期間ｔ１がカウントされている間は継続される。調整部４３は、供給期間ｔ１の終了と同期してトリガ信号生起部４１にＣＨ１トリガ信号６１の二回目のトリガ信号生起命令を与え、当該二回目のトリガ信号生起命令を与えられたトリガ信号生起部４１は、周期Ｔ内における二回目のＣＨ１トリガ信号６１ｂを生起して交流電力供給源４ａのスイッチ素子２２に信号線２４を介して送信する。二回目のＣＨ１トリガ信号６１ｂを受けた交流電力供給源４ａのスイッチ素子２２は、オン状態からオフ状態にされ、これにより交流電力供給源４ａによる交流電源１１の交流電力の一つの周期Ｔにおける小光源２ａへの供給は終了される。指令部３３は、このような作動を周期Ｔ毎に繰り返すことにより受信部３１で受信したＤＭＸ信号に従った小光源２ａの調光を行う。調整部４３は、小光源２ａを調光する場合に、供給期間ｔ１を周期Ｔ毎に変化させてもよく、斯かる場合には、交流電力供給源４ａから出力される交流電力に基づく出力電圧波形５０ａは、例えば図６に示すような波形となる。
【００３８】
調光装置１は、小光源２ｂを調光する旨の情報が含まれているＤＭＸ信号を受信した場合には、小光源２ａを調光する旨の情報を受信して切り替え手段５及び交流電力供給源４ａを作動させる場合と同様に切り替え手段５及び交流電力供給源４ｂを作動させることができ、また、小光源２ｃを調光する旨の情報が含まれているＤＭＸ信号を受信した場合にも、小光源２ａを調光する旨の情報を受信して切り替え手段５及び交流電力供給源４ａを作動させる場合と同様に切り替え手段５及び交流電力供給源４ｃを作動させることができるので、以下、調光装置１による小光源２ｂ及び２ｃの調光についての詳細な説明を省略する。
【００３９】
以下、本例の調光装置１による大光源３の調光について詳細に説明する。まず、調光操作卓２９等の操作に基づいて生成されたＤＭＸ信号を受信部３１で受信する。ここで、調光操作卓２９等の操作に基づいて生成されたＤＭＸ信号には、説明の便宜上、大光源調光情報が含まれているものとする。
【００４０】
次に、調整部４３により受信部３１で受信したＤＭＸ信号に大光源３を調光する旨の情報が含まれていると判断し、交流電源１１の交流電力の大光源３への供給を交流電力供給源４ａに担当させる担当期間Ｔ１、担当期間Ｔ１の終了と同期して進行を開始すると共に交流電源１１の交流電力の大光源３への供給を交流電力供給源４ｂに担当させる担当期間Ｔ２及び担当期間Ｔ２の終了と同期して進行を開始すると共に交流電源１１の交流電力の大光源３への供給を交流電力供給源４ｃに担当させる担当期間Ｔ３を交替的に設定し、大光源３の調光すべき光量を示す光量情報を受信部３１で受信したＤＭＸ信号から識別し、識別した光量情報に示される光量を得るために必要な担当期間Ｔ１内における供給期間ｔ１、担当期間Ｔ２内における供給期間ｔ２及び担当期間Ｔ３内における供給期間ｔ３を担当期間Ｔ１、Ｔ２及びＴ３の夫々の長さとの関係において設定し、これにより担当期間Ｔ１、Ｔ２及びＴ３と供給期間ｔ１、ｔ２及びｔ３との夫々の比（デューティ比）も定まる。担当期間Ｔ１、Ｔ２及びＴ３の長さは、周期Ｔの長さと等しくなるように夫々設定される。
【００４１】
切り替え指令部３５は、調整部４３による上記判断結果に基づいて作動し、交流電力供給源４ａ、４ｂ及び４ｃが切り替え器２１ａ、２１ｂ及び２１ｃを夫々介して大光源接続状態にあるか否かを判断し、大光源接続状態にあると判断した場合には切り替え信号を生起しないで作動を終了し、大光源接続状態にないと判断した場合には切り替え信号を生起して切り替え器２１ａ、２１ｂ及び２１ｃの夫々に対して同時的に送信する。切り替え器２１ａ、２１ｂ及び２１ｃは、切り替え指令部３５からの切り替え信号を受けて交流電力供給源４ａ、４ｂ及び４ｃを大光源３に夫々互いに同時的に接続する。
【００４２】
切り替え手段５による交流電力供給源４ａ、４ｂ及び４ｃの大光源３への接続後、調整部４３は、周期Ｔの開始と同期して、設定した担当期間Ｔ１の進行を開始し、担当期間Ｔ１の進行の開始と同期して、トリガ信号生起部４１にＣＨ１トリガ信号６１の一回目のトリガ信号生起命令を与えると共に設定した供給期間ｔ１の進行を開始する。当該一回目のトリガ信号生起命令を与えられたトリガ信号生起部４１は、担当期間Ｔ１内における一回目のＣＨ１トリガ信号６１ａを生起して交流電力供給源４ａのスイッチ素子２２に信号線２４を介して送信する。一回目のＣＨ１トリガ信号６１ａを受けた交流電力供給源４ａのスイッチ素子２２は、オフ状態からオン状態にされ、これにより交流電力供給源４ａによる交流電源１１の交流電力の大光源３への供給は開始される。開始された大光源３への交流電力の供給は、調整部４３により供給期間ｔ１がカウントされている間は継続される。調整部４３は、供給期間ｔ１の終了と同期してトリガ信号生起部４１にＣＨ１トリガ信号６１の二回目のトリガ信号生起命令を与え、当該二回目のトリガ信号生起命令を与えられたトリガ信号生起部４１は、担当期間Ｔ１内における二回目のＣＨ１トリガ信号６１ｂを生起して交流電力供給源４ａのスイッチ素子２２に信号線２４を介して送信する。二回目のＣＨ１トリガ信号６１ｂを受けた交流電力供給源４ａのスイッチ素子２２は、オン状態からオフ状態にされ、これにより交流電力供給源４ａによる交流電源１１の交流電力の大光源３への供給は終了される。供給期間ｔ１の終了後、担当期間Ｔ１は周期Ｔの終了と同期して終了する。
【００４３】
調整部４３は、担当期間Ｔ１の終了と同期して、設定した担当期間Ｔ２の進行を開始し、担当期間Ｔ２の進行の開始と同期して、トリガ信号生起部４１にＣＨ２トリガ信号６２の一回目のトリガ信号生起命令を与えると共に設定した供給期間ｔ２の進行を開始する。当該一回目のトリガ信号生起命令を与えられたトリガ信号生起部４１は、担当期間Ｔ２内における一回目のＣＨ２トリガ信号６２ａを生起して交流電力供給源４ｂのスイッチ素子２２に信号線２４を介して送信する。一回目のＣＨ２トリガ信号６２ａを受けた交流電力供給源４ｂのスイッチ素子２２は、オフ状態からオン状態にされ、これにより交流電力供給源４ｂによる交流電源１１の交流電力の大光源３への供給は開始される。開始された大光源３への交流電力の供給は、調整部４３により供給期間ｔ２がカウントされている間は継続される。調整部４３は、供給期間ｔ２の終了と同期してトリガ信号生起部４１にＣＨ２トリガ信号６２の二回目のトリガ信号生起命令を与え、当該二回目のトリガ信号生起命令を与えられたトリガ信号生起部４１は、担当期間Ｔ２内における二回目のＣＨ２トリガ信号６２ｂを生起して交流電力供給源４ｂのスイッチ素子２２に信号線２４を介して送信する。二回目のＣＨ２トリガ信号６２ｂを受けた交流電力供給源４ｂのスイッチ素子２２は、オン状態からオフ状態にされ、これにより交流電力供給源４ｂによる交流電源１１の交流電力の大光源３への供給は終了される。供給期間ｔ２の終了後、担当期間Ｔ２は周期Ｔの終了と同期して終了する。
【００４４】
調整部４３は、担当期間Ｔ２の終了と同期して、設定した担当期間Ｔ３の進行を開始し、担当期間Ｔ３の進行の開始と同期して、トリガ信号生起部４１にＣＨ３トリガ信号６３の一回目のトリガ信号生起命令を与えると共に設定した供給期間ｔ３の進行を開始する。当該一回目のトリガ信号生起命令を与えられたトリガ信号生起部４１は、担当期間Ｔ３内における一回目のＣＨ３トリガ信号６３ａを生起して交流電力供給源４ｃのスイッチ素子２２に信号線２４を介して送信する。一回目のＣＨ３トリガ信号６３ａを受けた交流電力供給源４ｃのスイッチ素子２２は、オフ状態からオン状態にされ、これにより交流電力供給源４ｃによる交流電源１１の交流電力の大光源３への供給は開始される。開始された大光源３への交流電力の供給は、調整部４３により供給期間ｔ３がカウントされている間は継続される。調整部４３は、供給期間ｔ３の終了と同期してトリガ信号生起部４１にＣＨ３トリガ信号６３の二回目のトリガ信号生起命令を与え、当該二回目のトリガ信号生起命令を与えられたトリガ信号生起部４１は、担当期間Ｔ３内における二回目のＣＨ３トリガ信号６３ｂを生起して交流電力供給源４ｃのスイッチ素子２２に信号線２４を介して送信する。二回目のＣＨ３トリガ信号６３ｂを受けた交流電力供給源４ｃのスイッチ素子２２は、オン状態からオフ状態にされ、これにより交流電力供給源４ｃによる交流電源１１の交流電力の大光源３への供給は終了される。供給期間ｔ３の終了後、担当期間Ｔ３は周期Ｔの終了と同期して終了する。尚、調整部４３は、担当期間Ｔ３の終了と同期して担当期間Ｔ１の進行を開始して、交流電力供給源４ａによる交流電源１１の交流電力の大光源３への上述のような供給を行い、その後、担当期間Ｔ２及びＴ３内における交流電力供給源４ｂ及び４ｃによる交流電源１１の交流電力の大光源３への上述のような供給を順次行い、このようにして交流電力供給源４ａ、４ｂ及び４ｃによる交流電力の大光源３への供給を経時的に交替させながら繰り返すことにより受信部３１で受信したＤＭＸ信号に従った大光源３の調光を行う。調整部４３は、大光源３を調光する場合に、供給期間ｔ１、ｔ２及びｔ３を夫々交替的に繰り返される担当期間Ｔ１、Ｔ２及びＴ３毎に変化させてもよく、斯かる場合には、交流電力供給源４ａ、４ｂ及び４ｃから出力される交流電力に基づく出力電圧波形５０ａ、５０ｂ及び５０ｃは、例えば図９に示すような波形となる。
【００４５】
指令部３３は、担当期間Ｔ１、Ｔ２及びＴ３を設定することで交流電力供給源４ａ、４ｂ及び４ｃに経時的に分担させ、担当期間Ｔ１、Ｔ２及びＴ３の夫々において交流電力供給源４ａ、４ｂ及び４ｃを交替的に作動させることで、大光源３をＤＭＸ信号に従って調光するために、交流電力供給源４ａ、４ｂ及び４ｃの夫々のスイッチ素子２２を長期間オフ状態にすることができて交流電力供給源４ａ、４ｂ及び４ｃの負担を軽減させることができ、また、交流電力供給源４ａ、４ｂ及び４ｃの相互の電圧誤差に基づく発熱等を低減させることができる。
【００４６】
本例の調光装置１によれば、複数の交流電力供給源４ａ、４ｂ及び４ｃと、交流電力供給源４ａ、４ｂ及び４ｃの夫々が小光源２ａ、２ｂ及び２ｃの夫々に独立して接続される小光源接続状態と交流電力供給源４ａ、４ｂ及び４ｃの夫々が小光源２ａ、２ｂ及び２ｃの夫々よりも消費電力の大きい大光源３に並列に接続される大光源接続状態とを選択的に切り替える切り替え手段５と、交流電力供給源４ａ、４ｂ及び４ｃから小光源２ａ、２ｂ及び２ｃ並びに大光源３の夫々への交流電力の供給期間ｔ１、ｔ２及びｔ３を制御する制御手段６とを具備しており、制御手段６は、交流電力供給源４ａ、４ｂ及び４ｃが小光源２ａ、２ｂ及び２ｃに夫々独立して供給する交流電力の各供給期間ｔ１、ｔ２及びｔ３の長さを夫々調節するための調節指令としてのＣＨ１トリガ信号６１、ＣＨ２トリガ信号６２及びＣＨ３トリガ信号６３を小光源接続状態の交流電力供給源４ａ、４ｂ及び４ｃの夫々に対して与える一方、大光源３への交流電力の供給を大光源接続状態の交流電力供給源４ａ、４ｂ及び４ｃに経時的に分担させるべく当該交流電力供給源４ａ、４ｂ及び４ｃの夫々が大光源３への交流電力の供給を交替的に担当する担当期間Ｔ１、Ｔ２及びＴ３を当該交流電力供給源４ａ、４ｂ及び４ｃの夫々に対して設定すると共に、大光源３の交流電力の供給を担当する交流電力供給源４ａ、４ｂ及び４ｃが夫々の担当期間Ｔ１、Ｔ２及びＴ３内において大光源３に供給する交流電力の供給期間ｔ１、ｔ２及びｔ３の長さを調節するための調節指令としてのＣＨ１トリガ信号６１、ＣＨ２トリガ信号６２及びＣＨ３トリガ信号６３を当該交流電力供給源４ａ、４ｂ及び４ｃに対して与える指令部３３を具備しているために、交流電力供給源４ａ、４ｂ及び４ｃの数以上の光源（小光源２ａ、２ｂ及び２ｃ、大光源３を含む）を夫々調光することができ、しかも、小さい定格電力（定格負荷）の交流電力供給源４ａ、４ｂ及び４ｃを大きい定格電力（定格消費電力）の大光源３の調光に用いることができて、調光装置１自体の小型化及び低廉化を図り得る。また、調光装置１によれば、大光源３への交流電力の供給を交流電力供給源４ａ、４ｂ及び４ｃに経時的に分担させることができて、交流電力供給源４ａ、４ｂ及び４ｃの夫々から大光源３への交流電力の供給期間ｔ１、ｔ２及びｔ３の重複をなくすことができ、而して、複数の交流電力供給源４ａ、４ｂ及び４ｃの相互の電圧誤差に基づく交流電力供給源４ａ、４ｂ及び４ｃの発熱等を低減させることができる。
【００４７】
調光装置１によれば、指令部３３は、夫々互いに等しい時間的な長さを有した担当期間Ｔ１、Ｔ２及びＴ３を交流電力供給源４ａ、４ｂ及び４ｃの夫々に対して設定するようになっており、また、指令部３３は、大光源３に供給すべき交流電力に基づく電圧波形や電流波形、本例では交流電圧波形３０の周期Ｔと夫々等しい時間的な長さを有した担当期間Ｔ１、Ｔ２及びＴ３を交流電力供給源４ａ、４ｂ及び４ｃの夫々に対して設定するようになっているために、交流電力供給源４ａ、４ｂ及び４ｃの夫々から大光源３へ供給する交流電力の調節が容易となる。
【００４８】
尚、本例の調光装置１は、三つの交流電力供給源４ａ、４ｂ及び４ｃに代えて、指令部３３による調節指令が行われる二つの交流電力供給源を具備していてもよく、また、指令部３３による調節指令が行われる四つ以上の交流電力供給源を具備していてもよい。
【図面の簡単な説明】
【００４９】
【図１】本発明の実施の形態の例の概念説明図である。
【図２】図１に示す例の主に制御手段の概念説明図である。
【図３】図１に示す例の動作説明図である。
【図４】図３に示す例に関する電圧波形及びパルス信号の説明図である。
【図５】図３に示す例に関する電圧波形及びパルス信号の説明図である。
【図６】図３に示す例に関する電圧波形及びパルス信号の説明図である。
【図７】図１に示す例の動作説明図である。
【図８】図７に示す例に関する電圧波形及びパルス信号の説明図である。
【図９】図７に示す例に関する電圧波形及びパルス信号の説明図である。
【符号の説明】
【００５０】
１  調光装置１
２ａ、２ｂ、２ｃ  小光源
３  大光源
４ａ、４ｂ、４ｃ  交流電力供給源
５  切り替え手段
６  制御手段
１１  交流電源
３３  指令部
【図１】
2006202576.tif 000003
【図２】
2006202576.tif 000004
【図３】
2006202576.tif 000005
【図４】
2006202576.tif 000006
【図５】
2006202576.tif 000007
【図６】
2006202576.tif 000008
【図７】
2006202576.tif 000009
【図８】
2006202576.tif 000010
【図９】
2006202576.tif 000011